(57)【要約】【課題】トランスカバーとトランスとが側面から挿入されるコ字状の端子板により互いに結合されるトランス付制御機器において、配線からの外力に対する端子板の固定を強固にして端子板とトランス巻線との接触信頼性を向上させる。【解決手段】トランスカバー７の上面に係合突起７ａを形成するとともに、この係合突起７ａに対応させて端子板８の脚部８ｂに係合凹部８ｃを設け、トランスカバー７に挿入した端子板８の係合凹部８ｃを係合突起７ａに係合させることにより、端子板８を抜け方向に対して強固に固定する。端子板８に被さるトランスケース５の側壁５ａに無理な力がかからず、側壁５ａの反りや破損の危険もなくなる。【選択図】図１
2006135004.tif 000002
【特許請求の範囲】
【請求項１】
盤パネルに取り付けられる制御機器本体の背部にトランスユニットを有し、このトランスユニットは前記制御機器本体に連結されるトランスケースと、このトランスケースに背面から収納されるトランスと、前記トランスケースの背面に装着されるトランスカバーとを備え、このトランスカバーと前記トランスとはこれらに跨るように側面から挿入されるコ字状の端子板により互いに結合されるとともに、前記端子板には前記トランスケースの側壁が被さるトランス付制御機器において、
前記トランスカバーの上面に係合突起を形成するとともに、この係合突起に対応させて前記端子板の脚部に係合凹部を設け、前記トランスカバーに挿入した前記端子板の係合凹部を前記係合突起に係合させることにより、前記端子板を抜け方向に対して固定するようにしたことを特徴とするトランス付制御機器。
【発明の詳細な説明】
【技術分野】
【０００１】
この発明は、表示灯や照光押ボタンスイッチなどの制御機器に関し、特にトランス付の制御機器に関する。
【背景技術】
【０００２】
表示灯などの制御機器については、例えば特許文献１に記載されているが、この制御機器として回路電圧を定格電圧に整合させるためのトランスを有するものがある。図３〜図５は、この種の制御機器としての角形表示灯を示し、図３は斜視図、図４は分解斜視図、図５は図３のトランス部分の要部縦断面図である。図３〜図５において、図示制御機器（角形表示灯）は図示しない盤パネルに取り付けられる制御機器本体１の背部（図３の下部）にトランスユニット２を有し、光源（ランプ）３はトランスユニット２に保持されている。制御機器本体２の前面（図３の上面）には、照光表示面４が形成されている。
【０００３】
トランスユニット２は、制御機器本体１に連結されるトランスケース５と、トランスケース５に背面から収納されるトランス６（図５）と、トランスケース５の背面に装着されるトランスカバー７とを備えている。トランスカバー７は図示しない電線が接続される端子部を構成し、図５に示すように、トランスカバー７とトランス６とはこれらに跨るように側面（図５の左右方向）から挿入されるコ字状の端子板８により互いに結合されている。
【０００４】
トランス６に挿入された端子板８は、脚部８ａがトランス６の巻線に接続された端子金具９に接触して電気的な接続が達成されている。端子板８の他方の脚部８ｂにはねじ穴１０が設けられ、トランスカバー７にはねじ穴１０にねじ込まれる端子ねじ１１が保持されている。図示しない電線は端子ねじ１１により、圧着端子を介して端子板８に接続される。端子板８にはトランスケース５の側壁５ａが被さり、これにより端子板８の抜け止めが達成されている。
【特許文献１】特許第３１２２０３０号公報
【発明の開示】
【発明が解決しようとする課題】
【０００５】
上記した制御機器において、側面から挿入された端子板８はトランスケース５の側壁５ａで押えられて抜け止めされている。ところが、従来、配線時に端子部に引張りなどの外力が加わると、側壁５ａの反りあるいは破損により端子板８が抜け方向に位置ずれし、端子板８とトランス６の端子金具９との電気的接触が不安定となる結果、点灯不良などの不具合が生じる場合があった。
【０００６】
そこで、この発明の課題は、外力に対する端子板の固定を強固にし、トランスとの接触信頼性を向上することにある。
【課題を解決するための手段】
【０００７】
上記課題を解決するために、この発明は、盤パネルに取り付けられる制御機器本体の背部にトランスユニットを有し、このトランスユニットは前記制御機器本体に連結されるトランスケースと、このトランスケースに背面から収納されるトランスと、前記トランスケースの背面に装着されるトランスカバーとを備え、このトランスカバーと前記トランスとはこれらに跨るように側面から挿入されるコ字状の端子板により互いに結合されるとともに、前記端子板には前記トランスケースの側壁が被さるトランス付制御機器において、前記トランスカバーの上面に係合突起を形成するとともに、この係合突起に対応させて前記端子板の脚部に係合凹部を設け、前記トランスカバーに挿入した前記端子板の係合凹部を前記係合突起に係合させることにより、前記端子板を抜け方向に対して固定するようにするものである（請求項１）。
【発明の効果】
【０００８】
この発明によれば、端子板の係合凹部をトランスカバーの係合突起に係合させ、端子板を抜け方向に強固に固定することにより、配線時に端子部に外力が働いても位置ずれすることがなく、端子板とトランスとの接触信頼性が向上する。
【発明を実施するための最良の形態】
【０００９】
図１及び図２は、従来技術で示した制御機器（角形表示灯）におけるこの発明の実施の形態を示し、図１は制御機器のトランス部分の要部縦断面図、図２は図１の制御機器の本体部分を除いた分解斜視図である。なお、従来例と対応する部分には同一の符号を用いるものとする。図１及び図２において、従来技術と相違するのは、トランスカバー７の上面に係合突起７ａ（図１）が形成され、端子板８の脚部８ｂに係合突起７ａに対応する角穴からなる係合凹部８ｃが設けられている点である。
【００１０】
ここで、トランス６の巻線ボビン１２（図２）には側方に開口する平角穴１３が設けられ、トランス巻線の引出し端末に接続されたＬ字形の端子金具９の先端は平角穴１３内に導入されている。一方、トランスカバー７には側方に開口する溝穴１４が設けられており、すでに述べたようにトランス６とトランスカバー７とに跨る端子板８の脚部８ａは平角穴１３に挿入されて端子金具９と接触し、脚部８ｂは溝穴１４に挿入される。溝穴１４に挿入された脚部８ｂは係合突起７ａに突き当たるが、更に強く押し込まれることにより、係合突起７ａの前面に形成された斜面の作用で持ち上がり、やがて図１に示すように係合凹部８ｃが係合突起７ａに係合する。これにより、端子板８を抜け方向（図１の右方向）に対して固定される。
【００１１】
トランスカバー７に結合されたトランス６にはトランスケース５が被せられ、端子板８の側面には図１に示すようにトランスケース５の側壁５ａが接する。なお、図２において、トランスケース５は前後一対の連結脚５ａを介して制御機器本体１（図３参照）に連結され、トランスカバー７は４隅の爪７ｂを介してトランスケース５に装着される。
【００１２】
図示実施の形態において、電線は端子ねじ１１により圧着端子を介して端子板８に接続されるが、
その際、電線から外力が働いて端子板８が横方向に引っ張られても、端子板８は係合突起７ａとの係合で横方向に強固に固定されているので位置ずれすることがなく、端子金具９との接触が良好に保たれるとともに、トランスケース５の側壁５ａに直接力がかかることがないので、側壁５ａが破損したりすることがない。
【図面の簡単な説明】
【００１３】
【図１】この発明の実施の形態を示す制御機器の要部縦断面図である。
【図２】図１の制御機器の要部分解斜視図である。
【図３】従来例を示す制御機器の斜視図である。
【図４】図３の制御機器の分解斜視図である。
【図５】図３の制御機器の要部縦断面図である。
【符号の説明】
【００１４】
２    トランスユニット
５    トランスケース
６    トランス
７    トランスカバー
７ａ  係合突起
８    端子板
８ｃ  係合凹部
９    端子金具
【図１】
2006135004.tif 000003
【図２】
2006135004.tif 000004
【図３】
2006135004.tif 000005
【図４】
2006135004.tif 000006
【図５】
2006135004.tif 000007